(57)【要約】      （修正有）【課題】取り付けが容易であるとともに脱落しにくい緩衝材を備えたものとする。【解決手段】複数本の爪２と、これら爪２を連結している連結枠とからなり、放射状に配置された上記爪２の調理機器に対する接地部に弾性を有する緩衝材４が取り付けられる。爪２はその接地部下端に下方に開口する凹所２５と、この凹所２５の開口縁に位置する抜け止め用の突起２７とを備え、緩衝材４は上記凹部２５に嵌り込む突部４０と、該突部４０の根元部にあって上記突起２７が係止する係止凹部とを備える。さらに上記突部４０は自身の変形を許容するための空間を有しており、上記爪２は上記凹所２５内に上記空間内に入り込んで上記突部４０の変形を抑制する抑制体を有している。【選択図】図４
2015230105.tif 000002
【特許請求の範囲】
【請求項１】
複数本の爪と、これら爪を連結している連結枠とからなるとともに、放射状に配置されている上記爪の調理機器に対する接地部に弾性を有する緩衝材が取り付けられた五徳であって、
上記爪はその接地部下端に下方に開口する凹所と、この凹所の開口縁に位置する抜け止め用の突起とを備え、
上記緩衝材は上記凹所に嵌り込む突部と、該突部の根元部にあって上記突起が係止する係止凹部とを備え、
さらに上記突部は自身の変形を許容するための空間を有しており、上記爪は上記凹所内に上記空間内に入り込んで上記突部の変形を抑制する抑制体を有していることを特徴とする五徳。
【請求項２】
上記空間は上記突部の先端側を２つに分けることでその間に形成された上方に開口するものであり、上記抑制体は、上記凹所の中央から下方に向けて突出した軸であることを特徴とする請求項１記載の五徳。
【請求項３】
上記爪は、外周側縦片と、内周側縦片と、この両縦片の上端間をつなぐ横片とからなる逆Ｕ字形であり、外周側縦片の下端が上記緩衝材が取り付けられた接地部となっているとともに、内周側縦片が上記連結枠に連結されていることを特徴とする請求項１または２記載の五徳。
【請求項４】
前記緩衝材は、爪の外周を囲む囲み片を一体に備えていることを特徴とする請求項１〜３のいずれか１項に記載の五徳。
【発明の詳細な説明】
【技術分野】
【０００１】
本発明は、調理機器に設けられる五徳に関するものである。
【背景技術】
【０００２】
バーナーを備えた調理機器はそのバーナー部分に五徳を配置しているが、天板にあけたバーナー用開口にバーナーのヘッド部分を臨ませている調理機器では、天板であるトッププレート上に着脱自在に配置するタイプの五徳が用いられている。このような五徳では、五徳上に重い鍋等を載せた状態で五徳をずらしてしまうような力が働くと、五徳がトッププレート表面を傷つけてしまうおそれがある。
【０００３】
このために、五徳におけるトッププレートと接触する接地部に例えばシリコンゴム等の耐熱性を有する弾性材からなる緩衝材を取り付けたものがある。特許文献１には、五徳の底面に緩衝材をビス止めしたものが示されており、特許文献２には五徳の底面に形成した凹所に、緩衝材の弾性を利用して嵌め付けたものが示されている。
【０００４】
しかし、前者は別途ビスが必要であるとともに工具を用いたビス止め作業が必要である。後者は緩衝材を嵌め付けるだけでよいものの、取り付けの容易さと、緩衝材の脱落の防止の両立を図ることが難しい。つまり、特許文献２に示されたものは、五徳に設けた凹所の開口縁に抜け止め用の突起を形成して、緩衝材における上記凹所に嵌め込む突部の根元部に上記突起が係止する係止凹部を設けたものとなっている。
【０００５】
この場合、緩衝材の上記突部を凹所に嵌め込む時、突起によって圧縮された後、凹所に嵌ることになる。このために突起の突出量を大きくして抜け止めを確実に行えるようにすると、突部を大きく圧縮しなくては凹所に嵌め込むことができないために、緩衝材の取り付けが困難となる。突起の突出量を小さくすれば緩衝材の嵌め付けを容易に行うことができるが、緩衝材が抜け落ちやすくなってしまう。
【先行技術文献】
【特許文献】
【０００６】
【特許文献１】特開２００４−１５０６７０号公報
【特許文献２】特開２０１３−０７２６３０号公報
【発明の概要】
【発明が解決しようとする課題】
【０００７】
本発明は上記従来の問題点に鑑みて発明したものであって、その目的とするところは、取り付けが容易であるとともに脱落しにくい緩衝材を備えた五徳を提供することにある。
【課題を解決するための手段】
【０００８】
上記課題を解決するために、本発明に係る五徳は、複数本の爪と、これら爪を連結している連結枠とからなるとともに、放射状に配置されている上記爪の調理機器に対する接地部に弾性を有する緩衝材が取り付けられたものにおいて、上記爪はその接地部下端に下方に開口する凹所と、この凹所の開口縁に位置する抜け止め用の突起とを備え、上記緩衝材は上記凹部に嵌り込む突部と、該突部の根元部にあって上記突起が係止する係止凹部とを備え、さらに上記突部は自身の変形を許容するための空間を有しており、上記爪は上記凹所内に上記空間内に入り込んで上記突部の変形を抑制する抑制体を有していることに特徴を有している。
【０００９】
上記空間は上記突部の先端側を２つに分けることでその間に形成された上方に開口するものであり、上記抑制体は、上記凹所の中央から下方に向けて突出した軸であることが好ましい。
【００１０】
また、上記爪は、外周側縦片と、内周側縦片と、この両縦片の上端間をつなぐ横片とからなる逆Ｕ字形であり、外周側縦片の下端が上記緩衝材が取り付けられた接地部となっているとともに、内周側縦片が上記連結枠に連結されていることが好ましい。
【００１１】
また、前記緩衝材は、爪の外周を囲む囲み片を一体に備えていることが好ましい。
【発明の効果】
【００１２】
本発明にあっては、爪の凹所に緩衝材の突部を嵌め込む時、先端が２つに分かれた突部は間の空間の存在によって撓みやすくなっているために、抜け止めのための突起の突出量を大きくしても、緩衝材を容易に取り付けることができる。しかも突部が凹所に嵌った状態では上記空間に抑制体が位置して突部の撓みを防ぐために、突起と係止凹部との係止による抜け止めを確実に行うことができ、緩衝材の不用意な脱落を防ぐことができる。
【図面の簡単な説明】
【００１３】
【図１】本発明の実施形態の一例の五徳の斜視図である。
【図２】(a)は同上の平面図、(b)は正面図、(c)は側面図である。
【図３】同上の五徳を備えた調理機器の一例を示す平面図である。
【図４】同上の五徳における爪を示しており、(a)は斜視図、(b)は正面図、(c)は平面図、(d)は断面図である。
【図５】同上の緩衝材を外した状態の爪を示しており、(a)は斜視図、(b)は正面図である。
【図６】同上の緩衝材を示しており、(a)は斜視図、(b)は正面図、(c)は平面図、(d)は断面図である。
【図７】同上の爪への緩衝材の取り付け途中の状態の説明図である。
【発明を実施するための形態】
【００１４】
以下、本発明を添付図面に示す実施形態に基いて説明すると、図３は本発明に係る五徳１を備えた調理機器５を示している。環状の火炎形成部を有するバーナー６を上面の左右に備えるとともに内部にグリル庫を備えた図示例の調理機器５は、カウンターキッチン用のビルトイン型のもので、図中６１はバーナー用の点消火指令及び火力調節のための操作部、６２はグリル庫用のタッチパネル型操作部、６５はグリル庫用排熱口、６６は前面扉である。操作部６１，６２を上面に配している関係上、バーナー６，６は共に調理機器５の後方寄りに配置して、バーナー６からの熱的影響を操作部６１，６２が受けにくくなるようにしている。
【００１５】
調理機器５の天板であるトッププレート５０上には、バーナー６を囲む金属製の五徳１が配置されている。ここにおける五徳１は、図１及び図２に示すように、３本以上（図示例では６本）の爪２と、平面視がリング状の連結枠３とからなる。連結枠３に対して放射状に等間隔で配置された爪２は、夫々内周側縦片２１と外周側縦片２２とこの両縦片２１，２２の上端間をつなぐ横片２３とからなる逆Ｕ字形の板状物であり、内周側縦片２１の下端がリング状の連結枠３に溶接固定されている。
【００１６】
そして、五徳１における各爪２の外周側縦片２２の下端には、耐熱性及び弾性を有する緩衝材４が装着されており、五徳１をトッププレート５０上に置いた時、緩衝材４がトッププレート５０表面に接地する。なお、連結枠３及び爪２の内周側縦片２１の下端は、調理用機器５に対して浮いた状態となる。また、６本の爪２のうちの一つおきの爪２の内周側縦片２１は、その下端に位置決め用の凸部２４を連結枠３よりも内周側のところに備えており、これら凸部２４は、バーナー６側に設けた位置決め用凹部６７（図３参照）内に位置して、五徳１の位置ずれを防ぐ。
【００１７】
ここで、五徳１の爪２を逆Ｕ字形とし、複数本の爪２の各内周側縦片２１をリング状の連結枠３で連結し、各爪２の外周側縦片２２の下端を接地部としていることから、五徳１上に重量物を載せた時に横片２３に作用する荷重は、内周側縦片２１と外周側縦片２２とによって分散支持することができる。また、接地するのが外周側縦片２２の下端のみとなっているが、大荷重で五徳１が撓んでも、内周側縦片２１の下端や連結枠３が接地して撓みを制限するために、塑性変形領域まで五徳１が変形することはなく、荷重が無くなれば五徳１は元の形状に復帰する。このために、内周側縦片２１や外周側縦片２３を、細い部材で構成しても、耐荷重が大きいものを得ることができる。これ故に、五徳１を製作するための材料量の減少による低廉化を図ることができるとともに、五徳１の軽量化を図ることができる。
【００１８】
次に五徳１の爪２における外周側縦片２２の下端に装着した緩衝材４について説明する。爪２の外周側縦片２２の下端には、緩衝材４の装着のために、図５に示すように、下端縁及び両側面に開口する凹所２５を設けて、凹所２５の下端開口縁には互いに対向する抜け止め用突起２７，２７を設けている。また、凹所２５の中央には下方に向けて突出する軸２６を備えている。この軸２６の先端は、上記抜け止め用の突起２７の上縁とほぼ同じ高さで且つ突起２７先端と軸２６との間には、水平方向において隙間が空けられている。
【００１９】
爪２に装着される緩衝材４は、前述のように耐熱性及び弾性を有する材料、例えばシリコンゴムからなるもので、図６に示すように、上記凹所２５に下方から嵌り込む突部４０を備えている。ここにおける突部４０は、先端側が２つに分かれて、間に突部４０の変形を許容するための空間４１を有するものとなっている。そして突部４０の根元部には上記抜け止め用の突起２７が係止することになる係止凹部４２，４２を備えている。また、突部４０の周囲には、五徳１の爪２の外周側縦片２３の外周を囲むことになる筒状の囲み片４４を一体に有している。なお、囲み片４４の内面と突部４０の両側面とは一体に繋がっているが、分離していてもよい。
【００２０】
上記囲み片４４は、突部４０が凹所２５から爪２の側方に抜け落ちるのを防ぐ。また、五徳１の清掃時の清掃性を向上させる。
【００２１】
五徳１の爪２の外周側縦片２３の下端への緩衝材４の取り付けは、爪２の上記凹所２５に緩衝材４の突部４０を嵌め込むことで行う。この時、凹所２５の開口縁に位置する突起２７で突部４０が押されるが、２つに分かれた突部４０の間に空間４１が存在するために、突部４０は容易に撓んで、突起２７が係止凹部４２に係止するまで突部４０が凹所２５内に侵入することを許す。従って緩衝材４の嵌め付けを簡便に行うことができる。
【００２２】
そして、いったん緩衝材４を装着して突起２７が係止凹部４２に係止する状態となった時には、上記空間４１内には軸２６が位置して突部４０は変形しにくくなる。突部４０の変形を抑制する抑制体として機能する軸２６の存在により、緩衝材４が不用意に脱落するようなことがない。
【００２３】
なお、上記のような緩衝材４の取付構造は、五徳１の形状が図示例のものに限定されるものではなく、多様な形態の五徳１に利用することができる。また、緩衝材４は、耐熱性及び弾性を有する材質であればよく、例にあげたシリコンゴム製のものに限定されるものではない。
【符号の説明】
【００２４】
１  五徳
２  爪
３  連結枠
４  緩衝材
２５  凹所
２６  軸
２７  突起
４０  突部
４１  空間
４２  係止凹部
４４  囲み片
【図１】
2015230105.tif 000003
【図２】
2015230105.tif 000004
【図３】
2015230105.tif 000005
【図４】
2015230105.tif 000006
【図５】
2015230105.tif 000007
【図６】
2015230105.tif 000008
【図７】
2015230105.tif 000009